(57)【特許請求の範囲】
【請求項１】
メッセージ送受信端末、およびメッセージ伝達装置を備えるメッセージ伝達システムであって、
前記メッセージ送受信端末は、
前記メッセージ送受信端末の位置に対応して前記メッセージ送受信端末に送信すべきメッセージを前記メッセージ伝達装置に送信するメッセージ送信手段と、
前記メッセージ伝達装置に位置を知らせる位置送信手段と、
前記メッセージを受信するメッセージ受信手段と、
当該メッセージ送受信端末のユーザが購入した物品名を取得する購入物品取得部と、
前記メッセージ伝達装置に送信したメッセージのうち、前記購入物品取得部により取得された物品名を消去する消去指示を前記メッセージ伝達装置に送信するメッセージ消去指示手段と、
を有し、
前記メッセージ伝達装置は、
前記メッセージを記録するメッセージ記録手段と、
前記メッセージ送受信端末の位置がメッセージを送信すべき範囲内か否かを判定するメッセージ送信判定手段と、
前記メッセージ送信判定手段が送信すべき範囲内であると判定したときに前記メッセージを前記メッセージ送受信端末に送信するメッセージ送信手段と、
前記記録したメッセージに対する消去指示をメッセージ送受信端末から受信して前記メッセージ記録手段に記録された前記メッセージから前記消去指示により指定される前記物品名を消去するメッセージ消去指示受信手段と、
を有する、
メッセージ伝達システム。
【請求項２】
請求項１に記載のメッセージ伝達システムであって、
前記購入物品取得部は、電子マネーの利用情報から前記物品名を取得する、
メッセージ伝達システム。
【請求項３】
メッセージ送受信端末の位置に対応したメッセージを送信するメッセージ伝達装置であって、
前記メッセージを記録するメッセージ記録手段と、
前記メッセージ送受信端末の位置がメッセージを送信すべき範囲内か否かを判定するメッセージ送信判定手段と、
前記メッセージ送信判定手段が送信すべき範囲内であると判定したときに前記メッセージを前記メッセージ送受信端末に送信するメッセージ送信手段と、
前記記録したメッセージのうちユーザが購入した物品名を消去する消去指示をメッセージ送受信端末から受信して前記メッセージ記録手段に記録された前記メッセージから前記消去指示により指定される前記物品名を消去するメッセージ消去指示受信手段と、
を備えたメッセージ伝達装置。
【請求項４】
メッセージ伝達装置とメッセージを送受信するメッセージ送受信端末であって、
前記メッセージ送受信端末の位置に対応して前記メッセージ送受信端末に送信すべきメッセージをメッセージ伝達装置に送信するメッセージ送信手段と、
前記メッセージ伝達装置に位置を知らせる位置送信手段と、
前記メッセージ伝達装置から前記位置に対応したメッセージを受信するメッセージ受信手段と、
当該メッセージ送受信端末のユーザが購入した物品名を取得する購入物品取得部と、
前記メッセージ伝達装置に送信したメッセージのうち、前記購入物品取得部により取得された物品名を消去する消去指示を前記メッセージ伝達装置に送信するメッセージ消去指示手段と、
を備えるメッセージ送受信端末。
【請求項５】
メッセージ送受信端末の位置に対応したメッセージを送信するメッセージ伝達方法であって、
前記メッセージ送受信端末が生成したメッセージを記録するメッセージ記録工程と、
前記メッセージ送受信端末の位置がメッセージを送信すべき範囲内か否かを判定するメッセージ送信判定工程と、
前記メッセージ送信判定工程において送信すべき範囲内であると判定されたときに前記メッセージを前記メッセージ送受信端末に送信するメッセージ送信工程と、
記録された前記メッセージのうちユーザが購入した物品名を消去する消去指示を前記メッセージ送受信端末から受信するメッセージ消去指示受信工程と、
前記メッセージ記録工程により記録された前記メッセージから前記消去指示により指定される前記物品名を消去するメッセージ消去工程と、
を備えたメッセージ伝達方法。
【請求項６】
メッセージ送受信端末の位置に対応したメッセージを送信するメッセージ伝達処理をコンピュータに実行させるためのプログラムであって、
前記メッセージ送受信端末が生成したメッセージを記録するメッセージ記録処理と、
前記メッセージ送受信端末の位置がメッセージを送信すべき範囲内か否かを判定するメッセージ送信判定処理と、
前記メッセージ送信判定処理において送信すべき範囲内であると判定されたときに前記メッセージを前記メッセージ受信端末に送信するメッセージ送信処理と、
記録された前記メッセージのうちユーザが購入した物品名を消去する消去指示を前記メッセージ送受信端末から受信するメッセージ消去指示受信処理と、
前記メッセージ記録工程により記録された前記メッセージから前記消去指示により指定される前記物品名を消去するメッセージ消去処理と、
をコンピュータに実行させるためのプログラム。
【発明の詳細な説明】
【０００１】
【発明の属する技術分野】
本発明は、通信端末の位置に関連したメッセージの伝達に関する。
【０００２】
【従来の技術】
近年、ディスプレイ付きの携帯電話が普及し、メモやメッセージを表示できるようになっている。このようなメモ等は場所が関連したものがある。例えば、「Ａ店で買い物をする」といったようなものである。
【０００３】
【発明が解決しようとする課題】
しかしながら、場所が関連したメモ等を携帯電話に表示させる場合は、どの時点で表示させるかが難しい。例えば、「Ａ店で買い物をする」といったメモならば、実際にＡ店に行った時に表示させることが好ましい。しかし、実際にＡ店に行った時を判定することは困難である。
【０００４】
そこで、本発明は、通信機器の位置に対応してメモ等のメッセージを伝達することを課題とする。
【０００５】
【課題を解決するための手段】
本発明は、メッセージ伝達システムに関する。本発明にかかるメッセージ伝達システムは、メッセージ送信端末、メッセージ伝達装置、メッセージ受信端末、を備える。
【０００６】
メッセージ送信端末は、メッセージ送信手段を有する。
【０００７】
メッセージ送信手段は、メッセージ受信端末の位置に対応してメッセージ受信端末に送信すべきメッセージをメッセージ伝達装置に送信する。
【０００８】
メッセージ伝達装置は、メッセージ記録手段、メッセージ送信判定手段、メッセージ送信手段を有する。
【０００９】
メッセージ記録手段は、メッセージを記録する。メッセージ送信判定手段は、メッセージ受信端末の位置がメッセージを送信すべき範囲内か否かを判定する。メッセージ送信手段は、メッセージ送信判定手段が送信すべき範囲内であると判定したときにメッセージをメッセージ受信端末に送信する。
【００１０】
メッセージ受信端末は、位置送信手段、メッセージ受信手段を有する。
【００１１】
位置送信手段は、メッセージ伝達装置に位置を知らせる。メッセージ受信手段は、メッセージを受信する。
【００１２】
上記のように構成された発明によれば、メッセージ送信端末がメッセージをメッセージ伝達装置に送信する。メッセージ伝達装置は、メッセージ受信端末の位置がメッセージを送信すべき範囲内であればメッセージをメッセージ受信端末に送信する。メッセージ受信端末は、メッセージ伝達装置から送信されたメッセージを受信する。よって、メッセージ受信端末の位置に対応してメッセージをメッセージ受信端末に送信できる。
【００１３】
なお、本発明においては、メッセージ送信端末とメッセージ受信端末とを一体にしてもよい。自分に対してメッセージを伝達したい場合に有効である。
【００１４】
また、本発明にかかるメッセージ伝達システムにおいては、メッセージ受信端末はメッセージ消去指示手段を有し、メッセージ伝達装置はメッセージ消去指示受信手段を有するようにしてもよい。
【００１５】
メッセージ消去指示手段は、メッセージの消去の指示をメッセージ伝達装置に送信する。メッセージ消去指示受信手段は、メッセージの消去の指示を受信してメッセージをメッセージ記録手段から消去する。
【００１６】
上記のように構成された発明によれば、適宜メッセージを消去することができ、伝達不要なメッセージを整理できる。
【００１７】
また、本発明にかかるメッセージ伝達システムにおいては、複数のメッセージ受信端末に共通のメッセージが対応付けられているようにしてもよい。
【００１８】
上記のように構成された発明によれば、複数のメッセージ受信端末に共通のメッセージを伝えることができる。しかも、あるメッセージ受信端末によりメッセージを消去すれば、他のメッセージ受信端末へのメッセージの伝達を防止できる。そこで、複数のメッセージ受信端末のユーザの内の一人が対応すればいいメッセージを有効に伝達できる。
【００１９】
また、本発明にかかるメッセージ伝達システムにおいては、メッセージ受信端末が、消去メッセージ取得手段を有するようにしてもよい。消去メッセージ取得手段は、メッセージの内の消去すべきものを取得する。
【００２０】
例えば、買い物のリストをメッセージとした場合は、既に買った物をメッセージから消去することが好ましい。そこで、上記のように構成された発明によれば、消去メッセージ取得手段により買った物を取得してメッセージから消去することができる。
【００２１】
また、本発明においては、メッセージ消去指示手段はユーザの指示により作動するようにしてもよい。
【００２２】
【発明の実施の形態】
以下、本発明の実施の形態を図面を参照して説明する。
【００２３】
図１に、本発明の実施の形態のメッセージ送信端末２０、メッセージ受信端末３０およびメッセージ送受信端末４０として使用される携帯電話１００のハードウェアブロック図を示す。携帯電話１００は、制御部１０２、ＲＯＭ１０４、ＲＡＭ１０６、操作部１０８、表示部１１０、ＧＰＳ受信回路１１２、ＤＳＰ（Digital Signal Processor）１２０、スピーカ１２２ａ、ｂ、マイク１２４、受信部（ＲＸ）１２６、送信部（ＴＸ）１２８、デュプレクサ１３０、アンテナ１３２を備える。
【００２４】
制御部１０２は、ＲＯＭ１０４からデータおよびプログラムを読出し、操作部１０８からユーザの操作内容を取得する。また、制御部１０２は、ＲＡＭ１０６からデータおよびプログラムの読出し、書き込みを行なう。さらに、制御部１０２は、表示部１１０に表示内容を書き込む。そして、制御部１０２は、ＤＳＰ１２０とデータの受け渡しを行なう。さらに、制御部１０２は、ＧＰＳ受信回路１１２から、携帯電話１００の位置をＧＰＳにより取得する。
【００２５】
ＲＯＭ（Read Only Memory）１０４は読込みだけが可能なメモリである。ＲＡＭ（Random Access Memory）１０６は、読み書き可能なメモリである。操作部１０８は、ユーザの操作を受け付ける。表示部１１０は、書き込まれた表示内容を表示する。ＧＰＳ受信回路１１２は、携帯電話１００の位置をＧＰＳにより取得するための情報を受信する。
【００２６】
ＤＳＰ１２０は制御部１０２とデータの受け渡しを行なう。また、ＤＳＰ１２０はスピーカ１２２ａに音声出力の内容を出力し、マイク１２４からユーザの音声の信号を取得する。ＤＳＰ１２０は、さらに制御部１０２から受けたデータおよびマイク１２４から取得した音声の信号を送信部（ＴＸ）１２８に送り、受信部（ＲＸ）１２６から受けた受信信号をスピーカ１２２ａおよび制御部１０２に送る。
【００２７】
スピーカ１２２ａはＤＳＰ１２０から受けた受信信号を音声として出力する。スピーカ１２２ｂはその他の用途（例えば、ビープ音、着信音を鳴らす）のためのスピーカであり、ＤＳＰ１２０により制御される。マイク１２４は、ユーザの音声を取得する。
【００２８】
受信部（ＲＸ）１２６は、デュプレクサ１３０から出力された受信信号をＤＳＰ１２０に出力する。送信部（ＴＸ）１２８は、ＤＳＰ１２０から出力された送信信号をデュプレクサ１３０に出力する。デュプレクサ１３０は、アンテナ１３２を介して受信した受信信号を受信部（ＲＸ）１２６に、送信部（ＴＸ）１２８から出力された送信信号をアンテナ１３２に出力する。アンテナ１３２は、送信信号を送信し、受信信号を受信するためのアンテナである。
【００２９】
第一の実施形態
図２は、本発明の第一の実施形態にかかるメッセージ伝達システム１の構成を示すブロック図である。メッセージ伝達システム１は、メッセージ伝達装置１０、メッセージ送信端末２０およびメッセージ受信端末３０を備える。
【００３０】
メッセージ伝達装置１０はメッセージ送信端末２０からメッセージを受信する。そして、メッセージ受信端末３０の位置が所定範囲内（例えば、店Ａの近辺）に入った時にメッセージ受信端末３０にメッセージを送信する。
【００３１】
メッセージ送信端末２０は、メッセージ伝達装置１０にメッセージを送信する。この際、メッセージと共に、他の情報も送信する。例えば、メッセージ受信端末３０の位置がどの範囲に入った時にメッセージを送信するかを指定する。
【００３２】
メッセージ受信端末３０は、メッセージ伝達装置１０からメッセージを受信する。
【００３３】
図３は、メッセージ伝達装置１０の構成を示す機能ブロック図である。メッセージ伝達装置１０は、通信部１０２、メッセージ受信部１０４、メッセージ記録部１０６、位置確認部１１０、メッセージ送信判定部１１２、メッセージ送信部１１４、メッセージ消去指示受信部１２０を備える。
【００３４】
通信部１０２は、メッセージ送信端末２０からメッセージおよびその他の情報を、メッセージ受信端末３０から位置報告を受信し、メッセージ受信端末３０にメッセージおよび位置報告の要求を送信する。
【００３５】
メッセージ受信部１０４は、通信部１０２を介してメッセージ送信端末２０からメッセージおよびその他の情報を受信し、メッセージ記録部１０６に書き込む。
【００３６】
メッセージ記録部１０６は、メッセージおよびその他の情報を記録する。メッセージ記録部１０６の記録内容の一例を図４に示す。図４に示すように、メッセージ記録部１０６は、メッセージの他に、メッセージ対応場所、相手、回数（有効期限）、距離範囲を記録する。
【００３７】
メッセージ対応場所とは、メッセージ受信端末３０がメッセージ対応場所から距離範囲内にあった時にメッセージ受信端末３０にメッセージを送信するというものである。相手は、メッセージ受信端末３０のユーザである。相手にメッセージを送信するためにメッセージ記録部１０６にメッセージが記録されている。回数（有効期限）とは、メッセージ受信端末３０へメッセージを送信する回数である。ただし、回数にかえて有効期限を定めてもよい。有効期限は、メッセージ受信端末３０へメッセージを送信する期限である。有効期限外ならば、メッセージ受信端末３０がメッセージ対応場所から距離範囲内にきてもメッセージ受信端末３０へメッセージを送信することはない。さらに、周期（週一回など）を指定してもよい。距離範囲とは、メッセージ受信端末３０とメッセージ対応場所との距離が距離範囲以下ならばメッセージ受信端末３０にメッセージを送信するというものである。
【００３８】
なお、これらのメッセージ以外の情報は、メッセージ送信端末１０から送信されてきたものを使用してもよいし、既定値としてメッセージ記録部１０６に記録しておいてもよい。例えば、メッセージ対応場所、相手、回数（有効期限）は、メッセージ送信端末１０から送信されてきたものを使用し、距離範囲は予めメッセージ記録部１０６に記録しておいてもよい。
【００３９】
図４の例では、ｂ氏の使用するメッセージ受信端末３０（携帯電話１００）が、店Ａから５０ｍ以内に入ると、一回だけ、メッセージ「伝言  ごめん１０分遅れる」がメッセージ受信端末３０に送信され表示される。これは、ｂ氏と待ち合わせているメッセージ送信端末１０のユーザが店Ａにおけるｂ氏との待ち合わせに遅れるといった場合のメッセージである。なお、ｂ氏も待ち合わせに遅れてくるならばこのようなメッセージを伝達する必要もないため、ｂ氏が待ち合わせ場所である店Ａの付近に到着しない内は伝達しないことが好ましい。このように、メッセージはメッセージ受信端末３０の位置に対応し、メッセージ受信端末３０に送信される。
【００４０】
位置確認部１１０は、メッセージ記録部１０６に記録された「相手」のメッセージ受信端末３０に、通信部１０２を介して、位置の報告を求める。そして、メッセージ受信端末３０から報告された位置をメッセージ送信判定部１１２に出力する。
【００４１】
メッセージ送信判定部１１２は、位置確認部１１０の出力およびメッセージ記録部１０６の記録内容に基づき、メッセージ受信端末３０がメッセージを送信すべき範囲内か否かを判定する。メッセージ送信判定部１１２による判定方法を図５を参照して説明する。なお、メッセージ記録部１０６の記録内容は図４に示したものとする。
【００４２】
店Ａから半径５０ｍ以内の円に入っているメッセージ受信端末３２に対してはメッセージを送信すべき範囲内であると判定する。店Ａから半径５０ｍ以内の円に入っていないメッセージ受信端末３４に対してはメッセージを送信すべき範囲内ではないと判定する。
【００４３】
メッセージ送信部１１４は、メッセージ送信判定部１１２がメッセージを送信すべき範囲内であると判定した場合に、メッセージ記録部１０６からメッセージを読出し、メッセージ受信端末３０に送信する。送信は、例えばe-mail等により行なう。なお、どのメッセージ受信端末３０にメッセージを送信するかはメッセージ記録部１０６に記録された「相手」から判断する。メッセージの送信回数等はメッセージ記録部１０６に記録された「回数（有効期限）」から判断する。
【００４４】
メッセージ消去指示受信部１２０は、メッセージ受信端末３０からのメッセージ消去の指示を受け、メッセージ記録部１０６に記録されたメッセージを消去する。
【００４５】
図６は、メッセージ送信端末２０の構成を示す機能ブロック図である。メッセージ送信端末２０は、通信部２０２、メッセージ送信部２０４を備える。
【００４６】
通信部２０２は、メッセージ伝達装置１０にメッセージおよびその他の情報を送信する。その他の情報としては、例えば、メッセージ対応場所、相手、回数（有効期限）がある。通信部２０２は、携帯電話１００のＤＳＰ１２０、受信部（ＲＸ）１２６、送信部（ＴＸ）１２８およびデュプレクサ１３０に相当する。
【００４７】
メッセージ送信部２０４は通信部２０２を介してメッセージおよびその他の情報をメッセージ伝達装置１０に送信する。メッセージ送信部２０４にはメッセージおよびその他の情報が入力される。メッセージ送信端末２０に携帯電話１００を使用した場合、GUI（Graphical User Interface）を使用してメッセージおよびその他の情報を入力することができる。図７にメッセージ等の入力の一例を示す。
【００４８】
まず、図７（ａ）に示すように、表示部１１０に地図２０４ａを表示する。地図２０４ａは、住所、郵便番号に対応させて記録しておき、ユーザに住所等を入力させることで表示させることが考えられる。そこで、ポインタ２０４ｂを店Ａにあわせる。ここで、メモ貼付ボタン２０４ｃをクリックすると、店Ａをメッセージ対応場所とする。そして、図７（ｂ）に示すようにメッセージ入力画面になり、メッセージを入力する。なお、回数ボタン２０４ｄをクリックすると回数（例えば、「一回限り」）が入力できる。
【００４９】
メッセージ送信部２０４は、携帯電話１００の操作部１０８、制御部１０２、表示部１１０が相当する。
【００５０】
図８は、メッセージ受信端末３０の構成を示す機能ブロック図である。メッセージ受信端末３０は、通信部３０２、位置送信部３１０、メッセージ受信部３１４、表示部３１６、メッセージ消去指示部３２０を備える。
【００５１】
通信部３０２は、メッセージ伝達装置１０からメッセージを受信する。また、メッセージ伝達装置１０から位置報告の要求を受信し、位置報告を送信する。通信部３０２は、携帯電話１００のＤＳＰ１２０、受信部（ＲＸ）１２６、送信部（ＴＸ）１２８およびデュプレクサ１３０に相当する。
【００５２】
位置送信部３１０は、メッセージ伝達装置１０の位置確認部１１０から位置の報告の要求を受け、位置を通信部３０２を介して位置確認部１１０に報告する。メッセージ受信端末３０の位置は、メッセージ受信端末３０として携帯電話１００を使用する場合はＧＰＳ受信回路１１２により取得できる。位置送信部３１０は、携帯電話１００のＧＰＳ受信回路１１２、制御部１０２が相当する。
【００５３】
メッセージ受信部３１４は、メッセージ伝達装置１０からメッセージを通信部３０２を介して受信する。そして表示部３１６は、受信したメッセージを図９に示すように表示する。これを見たメッセージ受信端末３０のユーザは、返事を行ない別の場所で待ち合わせるといったことが考えられる。メッセージ受信部３１４、表示部３１６は携帯電話１００の制御部１０２、表示部１１０が相当する。
【００５４】
メッセージ消去指示部３２０は、ユーザの指示によりメッセージ消去の指示をメッセージ伝達装置１０へ通信部３０２に送信する。なお、メッセージの消去は、メッセージの全体の消去でもメッセージの一部の消去でもよい。
【００５５】
次に、第一の実施形態の動作を図１０のフローチャートを参照して説明する。
【００５６】
まず、メッセージ送信端末２０のメッセージ送信部２０４にメッセージおよびその他の情報が入力され、通信部２０２を介してメッセージ伝達装置１０に送信される（Ｓ１０）。
【００５７】
メッセージ伝達装置１０は、メッセージ受信部１０４が通信部１０２を介してメッセージおよびその他の情報を受信する（Ｓ２０）。受信されたメッセージおよびその他の情報はメッセージ記録部１０６に記録される。そして、位置確認部１１０がメッセージ記録部１０６に記録された「相手」のメッセージ受信端末３０に、通信部１０２を介して、位置の報告を求める（Ｓ２２）。
【００５８】
メッセージ受信端末３０の位置送信部３１０は通信部３０２を介して位置報告の要求を受信する（Ｓ３０）。位置送信部３１０はＧＰＳ受信回路１１２等により現在位置を取得して、通信部３０２を介して、メッセージ伝達装置１０に送信する（Ｓ３２）。
【００５９】
メッセージ伝達装置１０の位置確認部１１０は、メッセージ受信端末３０から送信された位置報告を通信部１０２を介して受信し、メッセージ送信判定部１１２に出力する。メッセージ送信判定部１１２は、位置確認部１１０の出力およびメッセージ記録部１０６の記録内容に基づき、メッセージ受信端末３０がメッセージを送信すべき範囲内か否かを判定する（Ｓ２４）。ここで、メッセージ受信端末３０がメッセージを送信すべき範囲内ではなければ（Ｓ２４、Ｎｏ）、位置の報告要求（Ｓ２２）に戻る。メッセージ受信端末３０がメッセージを送信すべき範囲内であれば（Ｓ２４、Ｙｅｓ）、メッセージ送信部１１４がメッセージ記録部１０６からメッセージを読み出し、通信部１０２を介してメッセージ受信端末３０に送信する（Ｓ２６）。
【００６０】
メッセージ受信端末３０のメッセージ受信部３１４は、通信部３０２を介してメッセージを受信し（Ｓ３４）、表示部３１６はメッセージを表示する（Ｓ３６）。そして、メッセージ消去指示部３２０による消去指示がなければ（Ｓ３８、Ｎｏ）、処理を終了する。
【００６１】
メッセージ消去指示部３２０による消去指示があれば（Ｓ３８、Ｙｅｓ）、メッセージ伝達装置１０のメッセージ消去指示受信部１２０が通信部１０２を介して受信し、メッセージ記録部１０６に記録されたメッセージを消去（Ｓ２８）して処理を終了する。
【００６２】
第一の実施形態によれば、メッセージ送信端末２０がメッセージをメッセージ伝達装置１０に送信する。メッセージ伝達装置１０は、メッセージ受信端末３０の位置がメッセージを送信すべき範囲内であればメッセージをメッセージ受信端末３０に送信する。メッセージ受信端末３０は、メッセージ伝達装置１０から送信されたメッセージを受信する。よって、メッセージ受信端末３０の位置に対応してメッセージをメッセージ受信端末３０に送信できる。
【００６３】
しかも、メッセージ受信端末３０のメッセージ消去指示部３２０による消去指示に基づき適宜メッセージ記録部１０６に記録されたメッセージを消去することができ、伝達不要なメッセージを整理できる。
【００６４】
第二の実施形態
第二の実施形態は、第一の実施形態と比べてメッセージ送信端末２０およびメッセージ受信端末３０が一体となってメッセージ送受信端末４０となっている点が異なる。
【００６５】
図１１は、本発明の第二の実施形態にかかるメッセージ伝達システム１の構成を示すブロック図である。メッセージ伝達システム１は、メッセージ伝達装置１０、メッセージ送受信端末４０を備える。
【００６６】
メッセージ伝達装置１０はメッセージ送受信端末４０からメッセージを受信する。そして、メッセージ送受信端末４０の位置が所定範囲内（例えば、店Ａの近辺）に入った時にメッセージ送受信端末４０にメッセージを送信する。
【００６７】
メッセージ送受信端末４０は、メッセージ伝達装置１０にメッセージを送信する。この際、メッセージと共に、他の情報も送信する。例えば、メッセージ送受信端末４０の位置がどの範囲に入った時にメッセージを送信するかを指定する。そして、メッセージ送受信端末４０は、メッセージ伝達装置１０からメッセージを受信する。以下、第一の実施形態と同様な部分は同じ番号を付して説明を省略する。
【００６８】
メッセージ伝達装置１０は、第一の実施形態と同様である。ただし、メッセージ記録部１０６の記録内容は、図１２に示すように、第一の実施形態と異なる。すなわち、メッセージの送信元とメッセージを受信する装置とが一体となっていることから、メッセージが自分あてであることが自明なので、「相手」の記録は「自分」に固定されている。よって、「相手」をメッセージ送受信端末４０により指定しなくてもよい。しかも、メッセージは、自分の備忘録すなわちメモといったものが多くなる。そこで、例えばメッセージも買い物の内容を忘れないように記録したメモを図１２に例示してある。なお、図１２に示した買い物の内容のメモは、買い物をする店の付近で見る方がより記憶にとどめやすいので、実際に買い物をする店Ａの付近に到達しない内は、表示させない方が好ましい。
【００６９】
図１３は、メッセージ送受信端末４０の構成を示す機能ブロック図である。メッセージ送受信端末４０は、通信部４０２、メッセージ送信部４０４、位置送信部４１０、メッセージ受信部４１４、表示部４１６、メッセージ消去指示部４２０、購入物品取得部（消去メッセージ取得手段）４３０を備える。
【００７０】
通信部４０２は、メッセージ伝達装置１０にメッセージおよびその他の情報を送信する。さらに、通信部４０２は、メッセージ伝達装置１０からメッセージを受信する。また、メッセージ伝達装置１０から位置報告の要求を受信し、位置報告を送信する。
【００７１】
メッセージ送信部４０４はメッセージ送信部２０４と同様である。位置送信部４１０は、位置送信部３１０と同様である。メッセージ受信部４１４は、メッセージ受信部３１４と同様である。表示部４１６は、表示部３１６と同様である。
【００７２】
メッセージ消去指示部４２０は、ユーザの指示によりあるいは購入物品取得部（消去メッセージ取得手段）４３０の出力によりメッセージ消去の指示をメッセージ伝達装置１０へ通信部３０２に送信する。なお、メッセージの消去は、メッセージの全体の消去でもメッセージの一部の消去でもよい。
【００７３】
購入物品取得部（消去メッセージ取得手段）４３０は、既に購入した物品名を取得し、メッセージから消去すべき旨をメッセージ消去指示部４２０に指示する。メッセージが買い物のリストであるため、実際に購入した物品はメッセージから消去することが好ましい。そこで、購入した物品をメッセージから消去すべきものとして取得する。例えば、洗剤を既に購入したならば、メッセージから「洗剤」を消去して、「メモ  買い物  ティッシュペーパー」とする。なお、買い物に電子マネーを使用する場合は、ＩＣカードに電子マネーの情報を記録しておき、買い物の時点でＩＣカードに記録された電子マネーの情報を書き換える。そこで、このＩＣカードに既に購入した物のリストを記憶しておけば、既に購入した物品名を取得できる。
【００７４】
次に、第二の実施形態の動作を図１４のフローチャートを参照して説明する。
【００７５】
まず、メッセージ送受信端末４０のメッセージ送信部４０４にメッセージおよびその他の情報が入力され、通信部４０２を介してメッセージ伝達装置１０に送信される（Ｓ４０）。
【００７６】
メッセージ伝達装置１０は、メッセージ受信部１０４が通信部１０２を介してメッセージおよびその他の情報を受信する（Ｓ２０）。受信されたメッセージおよびその他の情報はメッセージ記録部１０６に記録される。そして、位置確認部１１０がメッセージ記録部１０６に記録された「相手」のメッセージ送受信端末４０に、通信部１０２を介して、位置の報告を求める（Ｓ２２）。
【００７７】
メッセージ送受信端末４０の位置送信部４１０は通信部４０２を介して位置報告の要求を受信する（Ｓ４１）。位置送信部４１０はＧＰＳ受信回路１１２等により現在位置を取得して、通信部４０２を介して、メッセージ伝達装置１０に送信する（Ｓ４２）。
【００７８】
メッセージ伝達装置１０の位置確認部１１０は、メッセージ送受信端末４０から送信された位置報告を通信部１０２を介して受信し、メッセージ送信判定部１１２に出力する。メッセージ送信判定部１１２は、位置確認部１１０の出力およびメッセージ記録部１０６の記録内容に基づき、メッセージ送受信端末４０がメッセージを送信すべき範囲内か否かを判定する（Ｓ２４）。ここで、メッセージ送受信端末４０がメッセージを送信すべき範囲内ではなければ（Ｓ２４、Ｎｏ）、位置の報告要求（Ｓ２２）に戻る。メッセージ送受信端末４０がメッセージを送信すべき範囲内ではあれば（Ｓ２４、Ｙｅｓ）、メッセージ送信部１１４がメッセージ記録部１０６からメッセージを読み出し、通信部１０２を介してメッセージ送受信端末４０に送信する（Ｓ２６）。
【００７９】
メッセージ送受信端末４０のメッセージ受信部４１４は、通信部４０２を介してメッセージを受信し（Ｓ４４）、表示部４１６はメッセージを表示する（Ｓ４６）。そして、メッセージ消去指示部４２０による消去指示がなければ（Ｓ４８、Ｎｏ）、処理を終了する。
【００８０】
メッセージ消去指示部４２０による消去指示があれば（Ｓ４８、Ｙｅｓ）、メッセージ伝達装置１０のメッセージ消去指示受信部１２０が通信部１０２を介して受信し、メッセージ記録部１０６に記録されたメッセージを消去（Ｓ２８）して処理を終了する。
【００８１】
第二の実施形態によれば第一の実施形態と同様な効果を奏する。しかも、メッセージ送信端末２０およびメッセージ受信端末３０が一体となってメッセージ送受信端末４０となっているため、自分あてのメッセージであるメモ、備忘録としてメッセージ伝達システム１を使用できる。
【００８２】
さらに、購入物品取得部（消去メッセージ取得手段）４３０により既に購入した物品名を取得し、メッセージから消去すべき旨をメッセージ消去指示部４２０に指示するため、未だ購入していない物品のみ買い物リストに表示されることになり、買い物すべき物品を誤認せずにすむ。
【００８３】
第三の実施形態
第三の実施形態は、第一の実施形態と比べて、メッセージ受信端末が複数ある点が異なる。
【００８４】
図１５は、本発明の第三の実施形態にかかるメッセージ伝達システム１の構成を示すブロック図である。メッセージ伝達システム１は、メッセージ伝達装置１０、メッセージ送信端末２０およびメッセージ受信端末３０ａ、ｂを備える。
【００８５】
メッセージ伝達装置１０はメッセージ送信端末２０からメッセージを受信する。そして、メッセージ受信端末３０の位置が所定範囲内（例えば、店Ａの近辺）に入った時にメッセージ受信端末３０ａ、ｂにメッセージを送信する。
【００８６】
メッセージ送信端末２０は、メッセージ伝達装置１０にメッセージを送信する。この際、メッセージと共に、他の情報も送信する。例えば、メッセージ受信端末３０ａ、ｂの位置がどの範囲に入った時にメッセージを送信するかを指定する。
【００８７】
メッセージ受信端末３０ａ、ｂは、メッセージ伝達装置１０からメッセージを受信する。
【００８８】
メッセージ伝達装置１０、メッセージ送信端末２０およびメッセージ受信端末３０ａ、ｂの構成は第一の実施形態と同様である。ただし、メッセージ記録部１０６の記録内容は、図１６に示すように、第一の実施形態と異なる。すなわち、メッセージ受信端末３０ａ、ｂが複数なので、「相手」も複数記録されている。図１６に示すメッセージの内容は、ｃ氏あるいはｄ氏に買い物を依頼するものである。どちらか一人でも買ってきてくれればよいので、ｃ氏あるいはｄ氏の内、買い物を行なった方がメッセージを消去することが好ましい。なお、図１６に示した買い物の内容のメモは、買い物をする店の付近で見る方がより記憶にとどめやすいので、実際に買い物をする店Ａの付近に到達しない内は、表示させない方が好ましい。
【００８９】
次に、第三の実施形態の動作を説明する。第三の実施形態の動作は、第一の実施形態の動作と類似しているので図１０のフローチャートを参照して説明する。
【００９０】
まず、メッセージ送信端末２０のメッセージ送信部２０４にメッセージおよびその他の情報が入力され、通信部２０２を介してメッセージ伝達装置１０に送信される（Ｓ１０）。
【００９１】
メッセージ伝達装置１０は、メッセージ受信部１０４が通信部１０２を介してメッセージおよびその他の情報を受信する（Ｓ２０）。受信されたメッセージおよびその他の情報はメッセージ記録部１０６に記録される。そして、位置確認部１１０がメッセージ記録部１０６に記録された「相手」のｃ氏、ｄ氏にそれぞれ対応するメッセージ受信端末３０ａ、ｂに、通信部１０２を介して、位置の報告を求める（Ｓ２２）。
【００９２】
メッセージ受信端末３０ａ、ｂの位置送信部３１０は通信部３０２を介して位置報告の要求を受信する（Ｓ３０）。位置送信部３１０はＧＰＳ受信回路１１２等により現在位置を取得して、通信部３０２を介して、メッセージ伝達装置１０に送信する（Ｓ３２）。
【００９３】
メッセージ伝達装置１０の位置確認部１１０は、メッセージ受信端末３０ａ、ｂから送信された位置報告を通信部１０２を介して受信し、メッセージ送信判定部１１２に出力する。メッセージ送信判定部１１２は、位置確認部１１０の出力およびメッセージ記録部１０６の記録内容に基づき、メッセージ受信端末３０ａ、ｂがメッセージを送信すべき範囲内か否かを判定する（Ｓ２４）。ここで、メッセージ受信端末３０ａ、ｂがメッセージを送信すべき範囲内ではなければ（Ｓ２４、Ｎｏ）、位置の報告要求（Ｓ２２）に戻る。メッセージ受信端末３０ａ、ｂがメッセージを送信すべき範囲内であれば（Ｓ２４、Ｙｅｓ）、メッセージ送信部１１４がメッセージ記録部１０６からメッセージを読み出し、通信部１０２を介してメッセージ受信端末３０に送信する（Ｓ２６）。
【００９４】
ここで、図１７に示すように、ｄ氏がｃ氏よりも先に店Ａの付近に到達したとする。すると、メッセージ受信端末３０ｂにメッセージが送信されることになる。
【００９５】
メッセージ受信端末３０ｂのメッセージ受信部３１４は、通信部３０２を介してメッセージを受信し（Ｓ３４）、表示部３１６はメッセージを表示する（Ｓ３６）。
【００９６】
ここで、図１７に示すように、ｄ氏に所用があって買い物を行なわない場合は、メッセージ消去指示部３２０による消去指示を行なわない。
【００９７】
メッセージ消去指示部３２０による消去指示がなければ（Ｓ３８、Ｎｏ）、メッセージ受信端末３０ｂは処理を終了する。この場合、メッセージ受信端末３０ａは処理を終了しない。そこで、ｃ氏が店Ａの付近に到達すれば、メッセージ受信端末３０ａにおいて、メッセージ受信（Ｓ３４）以降のステップが実行される。
【００９８】
また、図１７に示すように、ｄ氏が買い物を行なう場合は、メッセージ消去指示部３２０による消去指示を行なう。すでに買い物を行なった以上、ｃ氏が買い物を行なう必要はないからである。
【００９９】
メッセージ消去指示部３２０による消去指示があれば（Ｓ３８、Ｙｅｓ）、メッセージ伝達装置１０のメッセージ消去指示受信部１２０が通信部１０２を介して受信し、メッセージ記録部１０６に記録されたメッセージを消去（Ｓ２８）して処理を終了する。この場合、メッセージが消去されるので、メッセージ受信端末３０ａにはメッセージが送信されない。
【０１００】
第三の実施形態によれば、第一の実施形態と同様な効果を奏する。しかも、複数人（c氏、d氏）の内の一人が対応すればいいメッセージを有効にメッセージ受信端末３０ａ、ｂに伝達できる。
【０１０１】
なお、上記の実施形態は、以下のようにして実現できる。ＣＰＵ、ハードディスク、フラッシュメモリ、メディア（フロッピーディスク、ＣＤ−ＲＯＭ、メモリスティックなど）読み取り装置を備えたコンピュータのメディア読み取り装置に、上記の各部分を実現するプログラムを記録したメディアを読み取らせて、ハードディスク、フラッシュメモリなどにインストールする。このような方法でも、上記の機能を実現できる。
【０１０２】
例えば、メッセージ受信部１０４、メッセージ記録部１０６、位置確認部１１０、メッセージ送信判定部１１２、メッセージ送信部１１４、メッセージ消去指示受信部１２０を実現するプログラムを記録したメディアを読み取らせて、メッセージ伝達装置１０を実現する。あるいは、メッセージ送信部２０４を実現するプログラムを記録したメディアを読み取らせて、メッセージ送信端末２０を実現する。もしくは、位置送信部３１０、メッセージ受信部３１４、メッセージ消去指示部３２０を実現するプログラムを記録したメディアを読み取らせて、メッセージ受信端末３０を実現する。さらには、メッセージ送信部４０４、位置送信部４１０、メッセージ受信部４１４、メッセージ消去指示部４２０、購入物品取得部（消去メッセージ取得手段）４３０を実現するプログラムを記録したメディアを読み取らせて、メッセージ送受信端末４０を実現する。
【０１０３】
【発明の効果】
本発明によれば、メッセージ送信端末がメッセージをメッセージ伝達装置に送信する。メッセージ伝達装置は、メッセージ受信端末の位置がメッセージを送信すべき範囲内であればメッセージをメッセージ受信端末に送信する。メッセージ受信端末は、メッセージ伝達装置から送信されたメッセージを受信する。よって、メッセージ受信端末の位置に対応してメッセージをメッセージ受信端末に送信できる。
【図面の簡単な説明】
【図１】本発明の実施の形態のメッセージ送信端末２０、メッセージ受信端末３０およびメッセージ送受信端末４０として使用される携帯電話１００のハードウェアブロック図である。
【図２】本発明の第一の実施形態にかかるメッセージ伝達システム１の構成を示すブロック図である。
【図３】メッセージ伝達装置１０の構成を示す機能ブロック図である。
【図４】メッセージ記録部１０６の記録内容の一例を示す図である。
【図５】メッセージ送信判定部１１２による判定方法を示す図である。
【図６】メッセージ送信端末２０の構成を示す機能ブロック図である。
【図７】メッセージ等の入力の一例を示す図であり、メッセージ対応場所、回数を指定する画面（図７（ａ））、メッセージを入力する画面（図７（ｂ））である。
【図８】メッセージ受信端末３０の構成を示す機能ブロック図である。
【図９】受信したメッセージの表示例である。
【図１０】第一の実施形態の動作を示すフローチャートである。
【図１１】本発明の第二の実施形態にかかるメッセージ伝達システム１の構成を示すブロック図である。
【図１２】メッセージ記録部１０６の記録内容の一例を示す図である。
【図１３】メッセージ送受信端末４０の構成を示す機能ブロック図である。
【図１４】第二の実施形態の動作を示すフローチャートである。
【図１５】本発明の第三の実施形態にかかるメッセージ伝達システム１の構成を示すブロック図である。
【図１６】メッセージ記録部１０６の記録内容の一例を示す図である。
【図１７】第三の実施形態の動作を説明する図である。
【符号の説明】
１  メッセージ伝達システム
１０  メッセージ伝達装置
１０２  通信部
１０４  メッセージ受信部
１０６  メッセージ記録部
１１０  位置確認部
１１２  メッセージ送信判定部
１１４  メッセージ送信部
１２０  メッセージ消去指示受信部
２０  メッセージ送信端末
２０２  通信部
２０４  メッセージ送信部
３０  メッセージ受信端末
３０ａ  メッセージ受信端末（c氏）
３０ｂ  メッセージ受信端末（d氏）
３０２  通信部
３１０  位置送信部
３１４  メッセージ受信部
３１６  表示部
３２０  メッセージ消去指示部
４０  メッセージ送受信端末
４０２  通信部
４０４  メッセージ送信部
４１０  位置送信部
４１４  メッセージ受信部
４１６  表示部
４２０  メッセージ消去指示部
４３０  購入物品取得部（消去メッセージ取得手段）
【図１】
0004710207.tif 000002
【図２】
0004710207.tif 000003
【図３】
0004710207.tif 000004
【図４】
0004710207.tif 000005
【図５】
0004710207.tif 000006
【図６】
0004710207.tif 000007
【図７】
0004710207.tif 000008
【図８】
0004710207.tif 000009
【図９】
0004710207.tif 000010
【図１０】
0004710207.tif 000011
【図１１】
0004710207.tif 000012
【図１２】
0004710207.tif 000013
【図１３】
0004710207.tif 000014
【図１４】
0004710207.tif 000015
【図１５】
0004710207.tif 000016
【図１６】
0004710207.tif 000017
【図１７】
0004710207.tif 000018